(57)【要約】【課題】第二の撮像手段であおりの顔が撮像される可能性が高いときでも、撮像された画像に対する被写体の顔認証処理を精度良く実行できる撮像装置を提供する。【解決手段】被写体を撮像するメイン撮像部１０１と、メイン撮像部１０１を操作する撮影者を被写体として撮像するサブ撮像部１０２とを備える撮像装置１００を設ける。撮像装置１００が、メイン撮像部１０１によって撮像された被写体の顔認証処理である第一の認証処理またはサブ撮像部１０２によって撮像された被写体の顔認証処理である第二の認証処理を、辞書データを用いて実行する。撮像装置１００は、サブ撮像部１０２の傾きに応じて、第二の認証処理を制御する。【選択図】図１
2017037375.tif 000002
【特許請求の範囲】
【請求項１】
被写体を撮像する第一の撮像手段と、
前記第一の撮像手段を操作する撮影者を被写体として撮像する第二の撮像手段と、
前記第一の撮像手段によって撮像された被写体の顔認証処理である第一の認証処理または前記第二の撮像手段によって撮像された被写体の顔認証処理である第二の認証処理を実行する認証手段と、
前記第一の認証処理または第二の認証処理に用いる辞書データが記憶される記憶手段と、
前記第二の撮像手段の傾きに応じて、前記第二の認証処理を制御する制御手段とを備える
ことを特徴とする撮像装置。
【請求項２】
前記制御手段は、前記第二の撮像手段の傾きが検出された場合に、前記記憶手段に記憶された前記第一の認証処理に用いる辞書データを切り替え、
前記認証手段は、前記切り替え後の辞書データを用いて前記第二の認証処理を実行する
ことを特徴とする請求項１に記載の撮像装置。
【請求項３】
前記制御手段は、前記第一の辞書データに所定のデータを追加することによって、前記第一の辞書データを切り替える
ことを特徴とする請求項２に記載の撮像装置。
【請求項４】
前記第一の辞書データは、正面の顔に対応する辞書データを有し、
前記第一の辞書データに追加される所定のデータは、あおりの顔または俯瞰の顔に対応する辞書データを有する
ことを特徴とする請求項３に記載の撮像装置。
【請求項５】
前記制御手段は、前記第一の辞書データに含まれるデータを所定のデータに変更することによって、前記第一の辞書データを切り替える
ことを特徴とする請求項３に記載の撮像装置。
【請求項６】
前記第一の辞書データは、正面の顔に対応する辞書データを有し、
前記所定のデータは、あおりの顔または俯瞰の顔に対応する辞書データを有する
ことを特徴とする請求項５に記載の撮像装置。
【請求項７】
前記制御手段は、前記第二の撮像手段の傾きが検出された場合に、前記第二の認証処理がされないように制御する
ことを特徴とする請求項１に記載の撮像装置。
【請求項８】
前記制御手段は、前記認証手段が前記第一の認証処理または前記第二の認証処理のうちのいずれを実行するかを制御する
ことを特徴とする請求項１乃至７のいずれか１項に記載の撮像装置。
【請求項９】
前記制御手段は、前記認証手段が前記第一の認証処理と前記第二の認証処理とを時分割で実行するように制御する
ことを特徴とする請求項８に記載の撮像装置。
【請求項１０】
前記制御手段は、前記認証手段が前記第一の認証処理を実行する頻度が、前記認証手段が前記第二の認証処理を実行する頻度より高くなるように制御する
ことを特徴とする請求項８または請求項９に記載の撮像装置。
【請求項１１】
前記第一の撮像手段または前記第二の撮像手段による撮像により得られた画像を表示する表示部を備え、
前記第二の撮像手段は、前記表示部に固定されている
ことを特徴とする請求項１乃至１０のいずれか１項に記載の撮像装置。
【請求項１２】
前記表示部は、可動式である
ことを特徴とする請求項１１に記載の撮像装置。
【請求項１３】
被写体を撮像する第一の撮像手段と、前記第一の撮像手段を操作する撮影者を被写体として撮像する第二の撮像手段と、を備える撮像装置の制御方法であって、
前記第一の撮像手段によって撮像された被写体の顔認証処理である第一の認証処理または前記第二の撮像手段によって撮像された被写体の顔認証処理である第二の認証処理を実行する工程と、
前記第二の撮像手段の傾きに応じて、前記第二の認証処理を制御する制御工程とを有する
ことを特徴とする制御方法。
【発明の詳細な説明】
【技術分野】
【０００１】
本発明は、撮像装置及びその制御方法に関する。
【背景技術】
【０００２】
被写体を撮影するとともに、カメラを操作している撮影者を撮影する機能を備えた撮像装置が提案されている。
特許文献１は、第一の撮像手段で被写体の画像を撮像し、第二の撮像手段で第一の撮像手段を操作する撮影者を被写体として撮像し、それぞれの映像信号を合成して記録媒体に保存するビデオカメラレコーダを開示している。
【先行技術文献】
【特許文献】
【０００３】
【特許文献１】特開平６−１６５０２９号公報
【発明の概要】
【発明が解決しようとする課題】
【０００４】
特許文献１が開示するビデオカメラレコーダでは、例えば撮影者が被写体のほうを向いている場合や、第二の撮像手段が傾いている場合などに、第二の撮像手段が、あおりの顔を撮像してしまう。したがって、第二の撮像手段で撮像された画像に対して、正面向きの顔をベースに登録された辞書データを用いて被写体の顔認証処理を実行すると、認証できない可能性が高い。
【０００５】
本発明は、被写体を撮像する第一、第二の撮像手段を備えた撮像装置であって、第二の撮像手段であおりの顔が撮像される可能性が高いときでも、撮像された画像に対する被写体の顔認証処理を精度良く実行できる撮像装置の提供を目的とする。
【課題を解決するための手段】
【０００６】
本発明の一実施形態の撮像装置は、被写体を撮像する第一の撮像手段と、前記第一の撮像手段を操作する撮影者を被写体として撮像する第二の撮像手段と、前記第一の撮像手段によって撮像された被写体の顔認証処理である第一の認証処理または前記第二の撮像手段によって撮像された被写体の顔認証処理である第二の認証処理を実行する認証手段と、前記第一の認証処理または第二の認証処理に用いる辞書データが記憶される記憶手段と、前記第二の撮像手段の傾きに応じて、前記第二の認証処理を制御する制御手段とを備える。
【発明の効果】
【０００７】
本発明の撮像装置によれば、第二の撮像手段であおりの顔が撮像される可能性が高いときでも、撮像された画像に対する被写体の顔認証処理を精度良く実行することができる。
【図面の簡単な説明】
【０００８】
【図１】本実施形態の撮像装置の構成を示す図である。
【図２】撮像装置の外観例を示す図である。
【図３】実施例１の撮像装置の動作処理を説明するフローチャートである。
【図４】被写体の顔認証処理のタイミングチャートの例を示す図である。
【図５】辞書データの構成例を示す図である。
【図６】実施例２の撮像装置の動作処理を説明するフローチャートである。
【図７】被写体の顔認証処理のタイミングチャートの例を示す図である。
【発明を実施するための形態】
【０００９】
複数の撮像手段を備える撮像装置において、第一の撮像手段で撮像された被写体または第二の撮像手段で撮像された被写体に対して顔認証を実行し、個人を特定することが考えられる。顔認証では、予め登録しておいた顔の特徴量（辞書データ）と、撮像された人物の顔の特徴量を比較し、その類似度が任意の値以上かどうかによって人物を判定する。顔の特徴量は、目や鼻、口などの器官位置情報から求められることが多い。第一の撮像手段では、被写体の顔が正面向きになるように撮像することが多いので、第一の撮像手段で撮像された画像に対する顔認証で用いる辞書データは、正面向きの顔から構成することが多い。さらに、表情や顔の向きによって器官位置は動くので、表情を変えたり、ヨー方向に回転したりした、複数の顔が辞書データとして登録される。また、第二の撮像手段で撮像された画像に対する顔認証では、第一の撮像手段用に用意した辞書データを用いることが考えられる。
【００１０】
しかし、第一の撮像手段で、例えば子どもを被写体として撮像する場合には、撮影者は、ＬＣＤなどの表示手段で画角を確認しながら、子どもがカメラに注意を向けるよう、子どもの方を向いていることが多い。第二の撮像手段がＬＣＤ側に付いている場合、撮影者がＬＣＤを見ているときは、第二の撮像手段で撮影者の正面向きの顔を撮像できるが、被写体の方を向いているときはあおりの顔が撮像されやすくなる。ＬＣＤが上下方向のバリアングルで、第二の撮像手段がＬＣＤとともに動く場合、特にあおりの顔が撮像されやすい。あおりの顔は、正面向きの顔に対して器官位置が異なるので、正面向きの顔をベースに登録された辞書データを用いると、辞書データの器官位置とずれてしまう。これにより、辞書データの特徴量と撮像された顔の特徴量を比較して得られた類似度が、任意の値以下になってしまい、被写体を認証できないという課題がある。以下に説明する本実施形態の撮像装置では、あおりの顔が撮像されやすい場合であっても、精度良く被写体の顔認証処理を実行することができる。
【００１１】
（実施例１）
図１は、本実施形態の撮像装置の構成を示す図である。
撮像装置１００は、メイン撮像部１０１、サブ撮像部１０２、認証部１０３、認証制御部１０４、傾き検知部１０５、辞書データ記憶部１０６、辞書切り替え制御部１０７、表示装置１０８を備える。メイン撮像部１０１は、被写体を撮像する第１の撮像手段として機能する。メイン撮像部１０１は、撮像によって得られた被写体の画像データを認証制御部１０４に出力する。
【００１２】
サブ撮像部１０２は、撮像装置本体を操作する撮影者を被写体として撮像する第２の撮像手段として機能する。撮像によって得られた被写体の画像データを認証制御部１０４に出力する。傾き検知部１０５は、サブ撮像部１０２の傾きを検知する。傾き検知部１０５は、傾きの検知結果を認証制御部１０４と辞書切り替え制御部１０７とに出力する。
【００１３】
辞書データ記憶部１０６には、第一の認証処理に用いる辞書データまたは第二の認証処理に用いる辞書データが記憶される。第一の認証処理は、メイン撮像部１０１が出力した画像データに対する被写体の顔認証処理である。第二の認証処理は、サブ撮像部１０２が出力した画像データに対する被写体の顔認証処理である。辞書切り替え制御部１０７は、認証制御部１０４の指示にしたがって、辞書データ記憶部１０６に記憶されている辞書データを切り替える。認証部１０３は、辞書データ記憶部１０６内の辞書データを用いて、第一の認証処理または第二の認証処理を実行する。
【００１４】
認証制御部１０４は、傾き検知部１０５から入力された傾きの検知結果に応じて、認証部１０３による顔認証処理を制御する。実施例１では、認証制御部１０４は、サブ撮像部１０２に傾きがある場合に、認証部１０３が、切り替え後の辞書データを用いて第二の認証処理を実行するように制御する。このために、認証制御部１０４は、辞書切り替え制御部１０７に指示して、辞書データ記憶部１０６に記憶されている辞書データを切り替えさせる。表示装置１０８は、メイン撮像部１０１またはサブ撮像１０２で撮像された画像やＵＩなどを表示する。
【００１５】
図２は、撮像装置の外観例を示す図である。
図２（Ａ）は、撮像装置１００の前面部の外観例を示す。図２（Ｂ）は、撮像装置１００の背面部の外観例を示す。２０１はメイン撮像部１０１用の撮像レンズ、２０２はシャッタースイッチ、２０３はストロボである。２０４はサブ撮像部１０２用の撮像レンズ、２０５は操作ボタン、２０６は表示装置１０８が有する表示部（ＬＣＤ）である。サブ撮像部１０２用の撮像レンズ２０４は、ＬＣＤ２０６の面に固定される。ＬＣＤ２０６が可動式である場合は、サブ撮像部１０２用の撮像レンズ２０４も共に動く。
【００１６】
図３は、実施例１の撮像装置の動作処理を説明するフローチャートである。
なお、この例では、辞書データ記憶部１０６には、当初、正面向きの顔に対応する第一の辞書データが記憶されているものとする。この例では、第一の辞書データは、正面向きの顔と、正面向きの顔を基準として、所定の角度だけ右または左を向いている顔とを含む。また、後述する第二の辞書データは、あおりの顔または俯瞰の顔を含む。
【００１７】
Ｓ３０１において、メイン撮像部１０１とサブ撮像部１０２とが画像をキャプチャする。Ｓ３０２において、認証制御部１０４が、メイン撮像部１０１とサブ撮像部１０２でキャプチャされた画像のいずれに対して顔認証処理をするかを判断する。メイン撮像部１０１でキャプチャされた画像に対して顔認証処理をすると判断された場合は、処理がＳ３０３に進む。サブ撮像部１０２でキャプチャされた画像に対して顔認証処理をすると判断された場合は、処理がＳ３０６に進む。
【００１８】
Ｓ３０３において、辞書データ切り替え制御部１０７が、辞書データが第二の辞書データに切り替わっているかを判断する。辞書データが切り替わっていない場合は、処理がＳ３０５に進む。辞書データが切り替わっている場合は、処理がＳ３０４に進む。
【００１９】
Ｓ３０４において、辞書データ切り替え制御部１０７が、辞書データを切り替え前の第一の辞書データに戻す。Ｓ３０５において、認証部１０３が、第一の辞書データを用いて、第一の認証処理を実行する。Ｓ３０９において、認証処理制御部１０４が、撮像が完了したかを判断する。撮像が完了した場合は、処理が終了する。撮像が完了していない場合は、処理がＳ３０１に戻る。
【００２０】
Ｓ３０６において、認証制御部１０４が、サブ撮像部１０２が傾いているかを判断する。サブ撮像部１０２が傾いていない場合は、処理がＳ３０８に進む。そして、認証部１０３が、辞書データ記憶部１０６内の第一の辞書データを用いて、第二の認証処理を実行する。サブ撮像部１０２が傾いている場合は、処理がＳ３０７に進む。そして、辞書データ切り替え制御部１０７が、辞書データ記憶部１０６内の辞書データを第二の辞書データに切り替える。そして、処理がＳ３０８に進み、認証部１０３が、切り替え後の第二の辞書データを用いて、第二の認証処理を実行する。
【００２１】
上記Ｓ３０７の処理について説明する。辞書データ切り替え制御部１０７は、辞書データ記憶部１０６に記憶されている第一の辞書データに、所定のデータすなわち俯瞰またはあおりの顔に対応する辞書データを追加する。これにより、第一の辞書データが第二の辞書データに切り替わる。なお、辞書データ切り替え制御部１０７が、第一の辞書データのうちの所定のデータを、俯瞰、もしくはあおりの顔を含む辞書データに変更することで、辞書データの切り替えを実行するようにしてもよい。
【００２２】
図４は、実施例１における、メイン撮像部とサブ撮像部でキャプチャされた画像に対する被写体の顔認証処理のタイミングチャートの例を示す図である。また、図５は、辞書データの構成例を示す図である。
実施例１では、認証制御部１０４は、認証部１０３が第一の認証処理と前記第二の認証処理とを時分割で実行するように制御する。なお、認証制御部１０４が、認証部１０３が第一の認証処理を実行する頻度が、認証部１０３が第二の認証処理を実行する頻度より高くなるように制御するようにしてもよい。
【００２３】
図４の時刻ｔにおいて、メイン撮像部１０１とサブ撮像部１０２により画像をキャプチ
ャする。この処理は、図３のステップＳ３０１に対応する。認証制御部１０４は、メイン撮像部１０１がキャプチャした画像、サブ撮像部１０２がキャプチャした画像のうちのいずれの画像に対して認証処理を行うかを判断する。この処理は、図３のＳ３０２に対応する。ここでは、時刻ｔにおけるメイン撮像部１０１がキャプチャした画像に対して認証処理を行うよう制御する。
【００２４】
次に、認証制御部１０４は、辞書切り替え制御手段１０７に対して辞書切り替え制御を要求し、辞書切り替え制御手段１０７は、辞書の切り替えが必要な場合、辞書の切り替えを行う。この処理は、図３のＳ３０３，Ｓ３０４に対応する。ここでは、辞書の切り替えは不要として、辞書の切り替えを行わない。認証制御部１０４は、認証部１０３により、メイン撮像部１０１でキャプチャした画像に対して、辞書データ記憶部１０６内の第一の辞書データを用いて認証処理を行うよう制御する。この処理は、図３のＳ３０５に対応する。
【００２５】
図５は、辞書データ記憶部内の辞書データの例を示す図である。
図５（Ａ）は、第一の辞書データを示す。図５（Ｂ），（Ｃ）は、第二の辞書データを示す。図５（Ｂ）に示す第二の辞書データは、図５（Ａ）に示す第一の辞書データのうちの所定の辞書データ（図５（Ａ）中の右の２つの辞書データ）をあおりの顔の辞書データに入れ替えて生成される辞書データである。図５（Ｃ）に示す第二の辞書データは、図５（Ａ）に示す第一の辞書データにあおりの顔の辞書データを追加して生成される辞書データである。
【００２６】
図４の説明に戻る。認証制御部１０４が、撮像完了要求を確認する。この処理は、図３のＳ３０９に対応する。この時点では撮像が続くので、時刻ｔ＋１における処理に進む。時刻ｔ＋１において、メイン撮像部１０１でキャプチャされた画像に対して、時刻ｔと同様の処理が行われる。時刻ｔ＋２において、メイン撮像部１０１とサブ撮像部１０２により画像をキャプチャする。続いて、認証制御部１０４が、メイン撮像部１０１がキャプチャした画像、サブ撮像部１０２がキャプチャした画像のうちのいずれの画像に対して認証処理を行うかを判断する。この例では、認証制御部１０４は、時刻ｔ＋２においてサブ撮像部１０２がキャプチャした画像に対して認証処理を行うよう制御する。
【００２７】
次に、サブ撮像部１０２の傾きが確認される。この処理は、図３のＳ３０６に対応する。サブ撮像部１０２の傾きは、加速度センサや、サブ撮像部１０２が設置されるＬＣＤ２０６の動きによって検知される。この例では、サブ撮像部１０２が傾いていないと判断され、ステップＳ３０８に進む。ステップＳ３０８において、認証制御部１０４は、認証部１０３により、サブ撮像部１０２でキャプチャした画像に対して、図５（Ａ）に示すような辞書データ１０６を用いて認証処理を行うよう制御する。ステップＳ３０９において、撮像完了要求を確認し、ステップＳ３０１に戻り、時刻ｔ＋３における処理に進む。時刻ｔ＋３において、メイン撮像部１０１でキャプチャされた画像に対して、時刻ｔと同様の処理を行う。
【００２８】
時刻ｔ＋４においては、時刻ｔ＋３でメイン撮像部１０１がキャプチャした画像に対する認証処理が完了していない。したがって、認証制御部１０４は、時刻ｔ＋４においてメイン撮像部１０１がキャプチャした画像に対して認証処理を行われないように制御する。時刻ｔ＋５および時刻ｔ＋６においては、メイン撮像部１０１でキャプチャされた画像に対して、時刻ｔと同様の処理が実行される。
【００２９】
時刻ｔ＋７においては、認証制御部１０４は、サブ撮像部１０２がキャプチャした画像に対して認証処理を行うよう制御する。このとき、サブ撮像部がヨー方向に傾いていると判断されるので、辞書切り替え制御１０７が、第一の辞書データを第二の辞書データに切り替える。そして、認証制御部１０４が、サブ撮像部１０２でキャプチャした画像に対して、切り替え後の第二の辞書データを用いた認証処理が行われるように制御する。ここでは、認証部１０３が時刻ｔ＋６においてメイン撮像部１０１がキャプチャした画像に対して認証処理中である。したがって、認証制御部１０４は、認証処理が終わり次第、時刻ｔ＋７におけるサブ撮像部１０２がキャプチャした画像に対する認証処理を開始するよう制御する。
【００３０】
時刻ｔ＋８において、認証制御部１０４は、メイン撮像部１０１がキャプチャした画像に対して認証処理を行うよう制御する。このとき、時刻ｔ＋７の認証処理において、辞書データが第二の辞書データに切り換わっているので、辞書の切り替えが必要と判断される。したがって、辞書切り替え制御部１０７は、辞書データ記憶部１０６に記憶されている第二の辞書データから、あおりの顔、俯瞰の顔の辞書データを除くことで、図５（Ａ）に示すような第一の辞書データに切り替える。認証制御部１０４は、メイン撮像部１０１でキャプチャした画像に対して、第二の辞書データを用いた認証処理が行われるように制御する。ここでは、認証部１０３が、時刻ｔ＋７におけるサブ撮像部１０２がキャプチャした画像に対して認証処理中である。したがって、認証制御部１０４は、認証処理が終わり次第、時刻ｔ＋８においてメイン撮像部１０１がキャプチャした画像に対する認証処理を開始するよう制御する。
【００３１】
以上の処理により、サブ撮像部１０２で、正面向きの顔に対応する辞書データでは認証されにくいあおりの顔が撮像される可能性が高いときに、あおりの顔の辞書データを加えて処理することで、あおりの顔が撮像されても認証されやすくすることができる。したがって、精度良く顔認証処理を実行することが可能となる。また、切り替え後の第二の辞書データには、正面向きの顔の辞書データの全部または一部が含まれるので、正面の顔が撮像されても、認証することが可能である。さらに、メイン撮像第一の部１０１が撮像した画像に対して認証処理を行うときは、あおりの顔の辞書データを加えずに処理するので、認証精度や処理時間に影響が及ばない。
【００３２】
（実施例２）
図６は、実施例２の撮像装置の動作処理を説明するフローチャートである。
Ｓ６０１，Ｓ６０２，Ｓ６０６は、図３のＳ３０１，Ｓ３０２，Ｓ３０９と同様である。Ｓ６０３において、認証部１０３が、辞書データ記憶部１０６に記憶されている第一の辞書データを用いて、第一の認証処理を実行する。また、Ｓ６０４において、認証制御部１０４が、サブ撮像部１０２の傾きが検出されたかを判断する。サブ撮像部１０２の傾きが検出されていない場合は、処理がＳ６０５に進む。そして、認証部１０３が、辞書データ記憶部１０６内の第一の辞書データを用いて、第二の認証処理を実行する。サブ撮像部１０２の傾きが検出された場合は、認証制御部１０４は、第二の認証処理がされないように制御する。この制御によって、認証部１０３が顔認証処理を実行せずに、処理がＳ６０６に進む。
【００３３】
図７は、実施例２における、メイン撮像部とサブ撮像部でキャプチャされた画像に対する被写体の顔認証処理のタイミングチャートの例を示す図である。
図７の時刻ｔにおいて、メイン撮像部１０１とサブ撮像部１０２により画像をキャプチャする。この処理は、図６のステップＳ６０１に対応する。認証制御部１０４は、メイン撮像部１０１がキャプチャした画像、サブ撮像部１０２がキャプチャした画像のうちのいずれの画像に対して認証処理を行うかを判断する。この処理は、図６のＳ６０２に対応する。ここでは、時刻ｔにおいてメイン撮像部１０１がキャプチャした画像に対して認証処理を行うよう制御する。
【００３４】
次に、認証制御部１０４は、認証部１０３により、メイン撮像部１０１でキャプチャした画像に対して、辞書データ記憶部１０６内の第一の辞書データを用いて認証処理を行うよう制御する。この処理は、図６のＳ６０３に対応する。時刻ｔ＋１において、メイン撮像部１０１でキャプチャされた画像に対して、時刻ｔと同様の処理が行われる。
【００３５】
時刻ｔ＋２において、認証制御部１０４が、サブ撮像部１０２がキャプチャした画像に対して認証処理を行うように制御する。このとき、サブ撮像部１０２が傾いていないと判断される。したがって、認証制御部１０４は、認証部１０３により、サブ撮像部１０２でキャプチャした画像に対して、辞書データ記憶部１０６内の第一の辞書データを用いて認証処理を行うよう制御する。この処理は、図６のＳ６０４，Ｓ６０５の処理に対応する。続いて、時刻ｔ＋３において、メイン撮像部１０１でキャプチャされた画像に対して、時刻ｔと同様の処理が行われる。
【００３６】
時刻ｔ＋４においては、時刻ｔ＋３においてメイン撮像部１０１がキャプチャした画像に対する認証処理が完了していない。したがって、認証制御部１０４は、時刻ｔ＋４においてメイン撮像部１０１がキャプチャした画像に対して認証処理を行わないように制御する。
【００３７】
時刻ｔ＋５および時刻ｔ＋６において、メイン撮像部１０１でキャプチャされた画像に対して、時刻ｔにおける処理と同様の処理が行われる。時刻ｔ＋７において、認証制御部１０４が、時刻ｔ＋２においてサブ撮像部１０２がキャプチャした画像に対して認証処理を行うように制御する。このとき、サブ撮像部１０２が傾いていると判断されるので、認証制御部１０４は、サブ撮像部１０２がキャプチャした画像に対する認証処理が行われないように制御する。なお、サブ撮像部１０２が傾いていることを検知されたとき、図６中のＳ６０６ではなく、Ｓ６０３に進んで、メイン撮像部１０１がキャプチャした画像に対する認証処理を行うようにしてもよい。時刻ｔ＋８において、メイン撮像部１０１でキャプチャされた画像に対して、時刻ｔにおける処理と同様の処理が行われる。
【００３８】
以上の処理により、正面向きの顔の辞書データでは認証されにくいあおりの顔が撮像される可能性が高いときに、認証処理が行われないように制御することで、認証部１０３を、認証され難い顔より、認証されやすい顔の認証処理に用いることができる。以上、本発明の好ましい実施例について説明したが、本発明はこれらの実施例に限定されず、その要旨の範囲内で種々の変形及び変更が可能である。
【００３９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１００  撮像装置
１０１  メイン撮像部
１０２  サブ撮像部
１０３  認証部
１０４  認証制御部
１０５  傾き検知部
１０６  辞書データ記憶部
１０７  辞書切り替え制御部
１０８  表示装置
【図１】
2017037375.tif 000003
【図２】
2017037375.tif 000004
【図３】
2017037375.tif 000005
【図４】
2017037375.tif 000006
【図５】
2017037375.tif 000007
【図６】
2017037375.tif 000008
【図７】
2017037375.tif 000009